(57)【特許請求の範囲】
【請求項１】
評価対象を描画したポートフォリオチャート上に前記評価対象のレーダチャートの情報を組み込んだチャートを描画する処理装置であって，
評価対象を所定のポートフォリオチャート上に描画するポートフォリオ描画手段と，
前記ポートフォリオチャートに描画されている評価対象の所定の評価項目の評価値を示すレーダチャートデータを格納するレーダチャートデータ記憶手段と，
前記ポートフォリオチャート上から，前記レーダチャートデータを表示させる評価対象を選択する描画対象選択手段と，
前記レーダチャートの評価項目のうち，前記ポートフォリオチャート上に表示させるレーダチャートデータの評価項目を指定する評価項目指定手段と，
前記選択された評価対象のレーダチャートデータを用いて，前記指定された評価項目の前記レーダチャートにおける指標軸の方向および当該評価項目の評価値に対応する高さを表す三角形を生成し，前記生成した三角形を含む所定の図形を，前記ポートフォリオチャートの当該評価対象の位置に描画する図形描画手段とを備える
拡張ポートフォリオチャート描画装置。
【請求項２】
前記評価項目指定手段は，所定の円周に沿って回転移動する指示つまみを備えるダイアルを備え，ユーザの操作によって前記ダイアルの指示つまみが回転移動されると，前記レーダチャートから前記円周の中心と前記指示つまみの位置によって定まる方向と一致する指標軸を特定し，前記特定された指標軸が対応する評価項目を前記指定された評価項目とする
請求項１記載の拡張ポートフォリオチャート描画装置。
【発明の詳細な説明】
【技術分野】
【０００１】
本願発明は，拡張ポートフォリオチャート描画装置に関する。より詳しくは，ポートフォリオチャートの描画に使用する情報を，ポートフォリオチャート上の評価対象のレーダチャート情報まで拡張し，ポートフォリオチャート上に評価対象のレーダチャートの情報を組み込んだチャートを描画する処理装置に関する。
【背景技術】
【０００２】
複数の評価対象をポートフォリオチャートに表示し，評価対象を分析する手法がある。
【０００３】
図２０に，ポートフォリオチャートの例を示す。図２０のポートフォリオチャートでは，評価対象は，平面上の位置（Ｘ座標，Ｙ座標），位置を示す図形の大きさ（半径）という３つの指標を用いて表現され，評価対象同士の位置関係などが分析される。
【０００４】
一方，レーダチャートによる分析は，図２１に示すように，複数の評価項目の各評価値を，放射状に設けた指標軸上にプロットし，各評価値を示す点を頂点として形成される多角形の形状，多角形の頂点の凹凸の傾向などによって，評価対象の特性などを分析する手法である。
【０００５】
例えば，特許文献１のレーダチャートを用いた判定方法では，判定対象の２つの対象を表すレーダチャートを並べて表示し，レーダチャート上に描画された点を結ぶ折れ線の内積を算出し，所定の手順で算出された基準図形の面積と比較することによって，判定対象の良否を判定している。
【特許文献１】特開２００２−１９７２５０号公報
【発明の開示】
【発明が解決しようとする課題】
【０００６】
ポートフォリオチャートは，評価対象同士の関係を表現できる点で優れている。通常，ポートフォリオチャート上に表現されている評価対象の位置や大きさを定めている値は，複数の評価項目における評価値をパラメータとする特定の計算式により求めた合計点にもとづいている。
【０００７】
したがって，ポートフォリオチャート上に表示された評価対象の位置や大きさが示す値のみを比較した場合に，評価対象の優劣の原因が把握できないことがある。そのため，評価対象の特性を把握しづらく，ポートフォリオチャートだけに頼って分析を行うと，評価対象の優劣の判断時に誤認や錯覚を生じるおそれがある。
【０００８】
ポートフォリオチャートと，評価対象の評価項目ごとの評価値を示すレーダチャートとを組み合わせることによって，より精度の高い分析や評価を行うことが期待できるため，ポートフォリオチャートとレーダチャートとを連携して提示できるような描画方法が要求されている。
【０００９】
従来では，ポートフォリオチャートとレーダチャートとを連携させて表示するようなシステムや装置は，実現されていなかった。
【００１０】
しかし，同一画面に，ポートフォリオチャートとレーダチャートとを別々に表示し，単に両方のチャートを見比べさせるような表示方法，では，評価対象の特性を素早く比較することはできない。また，ポートフォリオチャート上で評価対象を表す図形，例えば図２０のポートフォリオチャートで使用されている円形内に，レーダチャートのデータをそのまま表示するだけでは，情報が見にくくなるという弊害がある。
【００１１】
本発明の目的は，ポートフォリオチャートの情報とレーダチャートの情報とを連携して，ポートフォリオチャート上に，レーダチャートの情報を見やすく表示できる拡張ポートフォリオチャート描画装置を提供することである。
【課題を解決するための手段】
【００１２】
本発明に関連して開示する装置は，評価対象を描画したポートフォリオチャート上に前記評価対象のレーダチャートの情報を組み込んだチャートを描画する処理装置であって，評価対象を所定のポートフォリオチャート上に描画するポートフォリオ描画手段と，前記ポートフォリオチャートに描画されている評価対象の所定の評価項目の評価値を示すレーダチャートデータを格納するレーダチャートデータ記憶手段と，前記ポートフォリオチャート上から，前記レーダチャートデータを表示させる評価対象を選択する描画対象選択手段と，前記選択された評価対象のレーダチャートデータを用いて生成した所定の図形を，前記ポートフォリオチャートの当該評価対象の位置に描画する図形描画手段とを備える。
【００１３】
上記の本発明に関連して開示する装置は，評価対象をポートフォリオチャートに描画するためのデータとは別に，ポートフォリオチャートに描画されている評価対象の所定の評価項目の評価値を示すレーダチャートデータをレーダチャートデータ記憶手段に格納しておく。
【００１４】
そして，上記の装置は，ポートフォリオ描画手段によって，評価対象を所定のポートフォリオチャート上に描画し，描画対象選択手段によって，ユーザの指示にもとづいて，ポートフォリオチャート上から，レーダチャートデータを表示させる評価対象を選択する。
【００１５】
さらに，上記の装置は，図形描画手段によって，レーダチャートデータ記憶手段から取得した，所定の評価項目を指標軸に設定した選択された評価対象のレーダチャートデータを用いて所定の図形を生成し，ポートフォリオチャートの当該評価対象の位置にこの図形を描画する。図形描画手段は，前記図形として，評価項目指定手段によって指定された評価項目のレーダチャートにおける指標軸の方向および当該評価項目の評価値に対応する高さを表す三角形を描画することができる。
【００１６】
また，上記の本発明に関連して開示する装置は，ポートフォリオチャートという一つのチャート上に，レーダチャートによって表現される情報を合わせて描画することができる。よって，ポートフォリオチャートによる評価対象同士の関係の全体の俯瞰を可能にしたまま，レーダチャートによる評価対象の傾向を示す情報を同時に提示することができる。
【００１７】
さらに，上記の本発明に関連して開示する装置の図形描画手段は，前記図形として，レーダチャートにおいて展開される選択された評価対象のすべての評価値の関係を表す多角形を描画することができる。
【００１８】
上記の本発明に関連して開示する装置は，特に，レーダチャートにおいて表示される所定の評価項目における傾向を示す多角形を，その評価対象のポートフォリオチャート上の位置に描画することができ，ポートフォリオチャートにおける位置や大きさの元となった情報の傾向を同時に提示することができる。
【００１９】
また，本発明の一態様として開示する装置は，評価対象を描画したポートフォリオチャート上に前記評価対象のレーダチャートの情報を組み込んだチャートを描画する処理装置であって，評価対象を所定のポートフォリオチャート上に描画するポートフォリオ描画手段と，前記ポートフォリオチャートに描画されている評価対象の所定の評価項目の評価値を示すレーダチャートデータを格納するレーダチャートデータ記憶手段と，前記ポートフォリオチャート上から，前記レーダチャートデータを表示させる評価対象を選択する描画対象選択手段と，前記レーダチャートの評価項目のうち，前記ポートフォリオチャート上に表示させるレーダチャートデータの評価項目を指定する評価項目指定手段と，前記選択された評価対象のレーダチャートデータを用いて，前記指定された評価項目の前記レーダチャートにおける指標軸の方向および当該評価項目の評価値に対応する高さを表す三角形を生成し，前記生成した三角形を含む所定の図形を，前記ポートフォリオチャートの当該評価対象の位置に描画する図形描画手段とを備える。
【００２０】
本発明の一態様として開示する装置は，特に，レーダチャートにおいて表示される評価項目のうち特定の評価項目についての評価値を，評価値の大小に対応させて高さを定めた三角形によって簡略的に描画することができる。一例として，評価対象を円形で表すポートフォリオチャートにおいて，評価対象の該当する評価項目の評価値が小さければ，その評価対象の位置に，短いトゲのような三角形の突起を備えた円を描画し，評価項目の評価値が大きければ，長い大きな突起を備えた円を描画する。
【００２１】
さらに，本発明の一態様として開示する装置の評価項目指定手段は，所定の円周に沿って回転移動する指示つまみを備えるダイアルを備え，ユーザの操作によって前記ダイアルの指示つまみが回転移動されると，レーダチャートから円周の中心と指示つまみの位置とによって定まる方向と一致する指標軸を特定し，特定された指標軸が対応する評価項目を前記指定された評価項目とする。
【００２２】
これによって，レーダチャートに設定される評価項目からユーザが任意の評価項目を直感的に選択できるインターフェースを提供することができる。
【発明の効果】
【００２３】
開示される装置によって得られる効果を簡単に説明すれば，以下のとおりである。すなわち，ポートフォリオチャート上にレーダチャートの情報を組み込み，ポートフォリオチャートの情報とレーダチャートの情報とを連携させた一つのチャートを描画することができる。
【００２４】
ユーザは，拡張ポートフォリオチャートの表示画面において，通常では，従来のポートフォリオチャートとして分析を行うことができるうえ，さらに，ポートフォリオチャートによって全体を俯瞰したまま，ポートフォリオチャート上の評価対象の位置や大きさを示す合計点の元となっている複数の評価項目における評価値を，簡略化したレーダチャートの多角形によって，直感的に把握することができる。
【００２５】
特に，ユーザが指定した特定の評価項目の評価値において，評価値の大小関係を高さに対応させ，かつ頂点をレーダチャートの指標軸の方向に対応させた三角形によって描画するため，ユーザは，特定の評価項目における優越を視覚的に把握することができる。
【００２６】
このような描画による評価対象の提示によって，ユーザは，評価対象を非常に容易に理解することができる。
【００２７】
さらに，画面に設けたダイアルの回転角度を用いて，レーダチャートにおいて放射状に設定される指標軸が対応する評価項目を特定するようにして，所定の評価項目を直感的かつ容易に選択することができる。
【００２８】
さらに，別々に表示されたポートフォリオチャートとレーダチャートとを見比べる手間を省くことができ，分析時間の効率化を図ることができる。また，両チャートを見比べる場合に生じやすい評価項目の誤認や錯覚を防ぐことができる。
【発明を実施するための最良の形態】
【００２９】
図１は，本発明の拡張ポートフォリオチャート描画装置の構成例を示す図である。
【００３０】
拡張ポートフォリオチャート描画装置（以下，チャート描画装置と呼ぶ）１は，評価対象を描画したポートフォリオチャート上に前記評価対象のレーダチャートの情報を組み込んだチャートを描画する装置である。
【００３１】
チャート描画装置１は，ポートフォリオチャート描画部１０１，表示対象設定部１０２，表示条件設定部１０３，描画初期化部１０４，ポートフォリオデータ抽出部１０５，ダイアル設定部１０７，ダイアル回転制御部１０８，ダイアルドラッグ位置検出部１０９，レーダチャート項目描画部１１０，レーダチャート描画部１１１および表示装置１２０を備える。
【００３２】
図２は，チャート描画装置１による描画処理によって，表示装置１２０に表示される表示画面の例を示す図である。表示画面３００は，チャート表示域３１０，表示設定項目表示域３２０，表示対象選択ボタン３３０，ダイアル３４０を備える。
【００３３】
ポートフォリオチャート描画部１０１は，ポートフォリオデータ２０を用いて，表示画面３００のチャート表示域３１０に，所定の評価項目のポートフォリオチャートを描画する処理手段である。
【００３４】
本形態においては，ポートフォリオチャートは，３つの評価カテゴリの合計点によって評価対象を表現するものである。評価対象は，１番目および２番目の評価カテゴリの合計点にそれぞれ対応するＸ座標値とＹ座標値によってポートフォリオ平面上の位置が決定され，３番目の合計点に対応する円の半径によって，評価対象を示す円の大きさが決定される。
【００３５】
ポートフォリオデータ２０は，ポートフォリオチャート上に描画する評価対象ごとに，評価対象を識別する対象通番（ｉ），ポートフォリオチャートのＸ座標値Ｘｉ，Ｙ座標値Ｙｉ，評価対象を表す図形のサイズなどのデータを含むものである。ここでは，評価対象の図形のサイズは，円の半径Ｒｉとする。
【００３６】
表示対象設定部１０２は，ポートフォリオチャートに表示された評価対象から，レーダチャートの情報を描画する評価対象を選択する処理手段である。
【００３７】
表示対象設定部１０２は，図２のチャート表示域３１０に表示されたポートフォリオチャート上の評価対象から，ユーザのマウスクリック操作などによって選択された評価対象Ｔ１，Ｔ２を，レーダチャートの情報の描画処理を行う評価対象として設定する。
【００３８】
表示条件設定部１０３は，ポートフォリオチャートの評価対象のレーダチャートにもとづくデータを表示する場合の表示条件を設定する処理手段である。
【００３９】
表示条件設定部１０３は，表示設定項目表示域３２０に所定の表示設定項目を表示し，ユーザのマウスクリック操作などによって選択された表示条件を抽出し，表示設定データ２１に保持する。
【００４０】
表示条件として，例えば以下のようなものが設定され保持される。
【００４１】
・  レーダチャートのすべての評価項目の得点にもとづく多角形の表示（以下，「レーダチャート表示」という）を行うか，特定の評価項目の得点にもとづく図形の表示（以下，「レーダチャート項目表示」という）を行うかの指定，
・  レーダチャート項目表示の際に，すでに表示されている別の評価項目にもとづく図形を残すか否かの指定，
・  指定した評価項目の評価値（得点）のうち，所定の閾値以上のもののみ表示するか否かの指定，および閾値の数値の設定，
・  レーダチャート項目を表す図形（三角形）の形状，など。
【００４２】
描画初期化部１０４は，チャート表示域３１０に表示されたポートフォリオチャート上の評価対象のレーダチャートの情報に関する描画を消去して，ポートフォリオチャートを初期化する処理手段である。
【００４３】
ポートフォリオデータ抽出部１０５は，ポートフォリオデータ２０から，表示対象設定部１０２によって選択された評価項目についてのデータを抽出し，選択対象ポートフォリオデータ２２として保持する処理手段である。
【００４４】
図３は，選択対象ポートフォリオデータ２２の例を示す図である。
【００４５】
選択対象ポートフォリオデータ２２は，描画対象として選択された評価項目についての対象通番ｉ，Ｘ座標値Ｘｉ，Ｙ座標値Ｙｉ，評価項目を表す円の半径Ｒｉ，評価項目を表す図形の描画色Ｃｐｉなどのデータである。
【００４６】
ダイアル設定部１０７は，レーダチャート項目表示において，ポートフォリオチャート上に表示させる評価項目を指定するインターフェースとして，ダイアル３４０を設定し，表示画面３００にダイアル３４０を描画する処理手段である。
【００４７】
ダイアル設定部１０７は，レーダチャートデータ２３から，評価項目番号ｊ，評価項目名，評価項目の指標軸数Ｎを抽出し，各指標軸の角度θｊを算出する。
【００４８】
図４に示すように，指標軸の角度θｊは，ポートフォリオチャートのＸ座標軸に平行の基線と，評価項目（項目番号ｊ）の指標軸との角度とする。
【００４９】
そして，図５に示すレーダデータ表２５に，評価項目番号ｊ（ｊは１〜Ｎの整数），評価項目名，指標軸の角度θ（基線と指標軸との角度）を格納する。
【００５０】
レーダチャートデータ２３は，ポートフォリオチャートに表示された評価対象の各評価カテゴリの合計得点の元情報となる所定の評価項目の得点をレーダチャートに表示するためのデータである。レーダチャートデータ２３は，評価項目数Ｎ，評価項目の項目番号ｊ，評価項目名，評価項目の指標軸の設定，ポートフォリオチャートに表示された評価対象ｉごとの評価項目の得点Ｐｉｊ，レーダチャートの描画色Ｃｒｉなどのデータを含むものである。ここで，得点Ｐｉｊは，レーダチャートの項目番号ｊの評価項目（以下，評価項目ｊ）の指標軸における値である。
【００５１】
ダイアル設定部１０７は，表示画面３００に描画したダイアル３４０の円周部のレーダチャートの指標軸の方向に相当する位置に，その指標軸が対応づけられている評価項目名を描画する。
【００５２】
ダイアル回転制御部１０８は，レーダデータ表２５の評価項目数Ｎから，ダイアル３４０の選択指示部３４１の回転移動の単位角度θｕを算出し，ユーザのマウスドラッグなどの操作を受けて，ダイアル３４０の選択指示部３４１の位置を単位角度θｕごとに移動させて描画し，どの評価項目が選択されているかをユーザに提示する処理手段である。
【００５３】
ダイアルドラッグ位置検出部１０９は，図６に示すように，ユーザのマウスドラッグなどの操作によって回転移動された選択指示部３４１の位置から，この位置で特定される指標軸と基線がなす回転角度ｒを求めて，レーダデータ表２５から回転角度ｒと合致する指標軸の角度θｊを検出し，合致した角度θｊから評価項目ｊの評価項目を特定する処理手段である。
【００５４】
レーダチャート項目描画部１１０は，レーダチャートデータ２３をもとに，ダイアルドラッグ位置検出部１０９で検出・特定された評価項目ｊについて，ポートフォリオチャート上で選択された評価対象Ｔｉの得点Ｐｉｊを，レーダチャートにおける評価項目ｊの指標軸の方向と，得点Ｐｉｊに対応する高さを表す三角形を描画する処理手段である。
【００５５】
具体的には，レーダチャート項目描画部１１０は，選択対象レーダチャートデータ２４において，ダイアル３４０の選択指示部３４１の回転角度ｒによって検出された評価項目ｊの指標軸から，選択された評価対象Ｔｉの得点Ｐｉｊを抽出する。そして，チャート表示域３１０のポートフォリオチャートの評価対象Ｔｉの座標（Ｘｉ，Ｙｉ）を選択対象ポートフォリオデータ２２から取得し，取得した座標をもとに評価対象の描画色と同じ色で，レーダチャートの評価項目の得点の大きさを示す三角形を描画する。三角形は，例えば二等辺三角形であって，底辺かつ頂角の二等分線が座標（Ｘｉ，Ｙｉ）で交わり，座標（Ｘｉ，Ｙｉ）を通るＸ座標軸の平行線から回転角度ｒをなす線分上に頂角が位置するように描画する。
【００５６】
例えば図７に示すレーダチャートで表現される評価対象Ｔ１，Ｔ２について，指定項目として項目Ｄが選択されたとする。レーダチャート項目描画部１１０は，評価項目ｊについて，選択された評価対象Ｔ１の得点Ｐ１ｊ（ｊ＝４），評価対象Ｔ２の得点Ｐ２ｊ（ｊ＝４）を抽出する。そして，図８に示すように，ポートフォリオチャートの評価対象Ｔ１の座標（Ｘ１，Ｙ１）において，評価項目ｊの回転角度ｒ，抽出した得点Ｐ１ｊをもとに，底辺が評価対象の円の半径Ｒｉ，高さがｓ×Ｐ１ｊ（Ｐｉｊ）（ｓは定数）となるような三角形を生成し，その三角形の底辺の中点が座標（Ｘ１，Ｙ１）に重なり，頂点が基点から回転角度ｒをなす線上に位置するように描画する。
【００５７】
レーダチャート項目描画部１１０は，ダイアル３４０が操作されて選択指示部３４１の位置が移動し，ダイアルドラッグ位置検出部１０９によって移動した選択指示部３４１の位置から別の評価項目の指定が検出される度に，同様の処理を行って，指定された評価項目についての三角形をその評価対象に描画する。
【００５８】
図９に，レーダチャート項目表示において，評価対象Ｔ１，Ｔ２に指定された評価項目の得点を示す三角形を描画した場合の描画例を示す。
【００５９】
図９（Ａ）のように，図７に示すレーダチャートの項目Ｄが指定された場合に，項目Ｄの指標軸と同じ方向を示す突起（トゲ）のように，項目Ｄにおける得点の大きさに応じた高さの三角形が描画される。
【００６０】
また，図９（Ｂ）のように，図７に示すレーダチャートの項目Ｇが指定された場合に，項目Ｇの指標軸と同じ方向を示す突起のように，項目Ｇにおける得点の大きさに応じた高さの三角形が描画される。
【００６１】
また，図９（Ｃ）のように，図７に示すレーダチャートの項目Ｄが指定され，その後に項目Ｇが指定された場合に，表示設定データ２１において，すでに描画されたレーダチャート項目をそのまま残す表示条件が設定されているときは，項目Ｄと項目Ｇのそれぞれについて，各指標軸の方向を示し，各得点の大きさに応じた高さの三角形が描画される。
【００６２】
図９に示すように，項目Ｄでは，評価対象Ｔ２の得点Ｐ２ｊが評価対象Ｔ１の得点Ｐ１ｊより大きいことを，項目Ｇでは，評価対象Ｔ１の得点Ｐ１ｊが評価対象Ｔ２の得点Ｐ２ｊより大きいことを，一目で把握することができる。
【００６３】
レーダチャート項目描画部１１０は，レーダチャート項目を描画する場合に，図１０に示すように，選択された複数の評価対象が近接した状態であって，描画する突起の三角形が他の評価対象を示す図形（円形）に重なる場合には，常に，他の評価対象を示す図形より前面に描画する。
【００６４】
また，レーダチャート項目描画部１１０は，初期設定として，図１０（Ａ）に示すように，生成した三角形の底辺が，評価対象の座標に重なるように描画する。また，例えば表示設定項目の指定に応じて，図１０（Ｂ）に示すように，評価項目の得点を表す三角形の底辺が評価対象を表す円の接線となるように描画することができる。または，図１０（Ｃ）に示すように，評価対象を表す円を描画せずに，レーダチャート項目を表す三角形のみを評価対象の座標に描画することができる。
【００６５】
また，レーダチャート項目描画部１１０は，表示条件に所定の閾値が設定されている場合に，レーダチャート項目として，評価項目の得点が閾値以上のもののみを描画するようにしてもよい。
【００６６】
また，ポートフォリオチャートの周辺部に位置する評価対象Ｔ３が選択された場合に，レーダチャート項目描画部１１０が，レーダチャート項目をポートフォリオチャートの座標領域からはみ出して描画できるようにするために，図１１に示すように，チャート表示域３１０内のポートフォリオチャート領域の周縁に，レーダチャートやレーダチャート項目の描画が可能な描画可能域３１５を予め設けておく。
【００６７】
レーダチャート描画部１１１は，選択された評価対象Ｔｉの全評価項目の得点Ｐｉがレーダチャートに展開されて生成される多角形を，評価対象を表す図形内に描画する処理手段である。
【００６８】
具体的には，レーダチャートデータ２３をもとに，Ｎ個の評価項目ｊの指標軸間の角度θｖ＝２π／Ｎを算出する。そして，評価対象Ｔｉについて，１番目の評価項目ｊから順に，ポートフォリオチャートのＸ座標軸に平行の基線から評価項目ｊの指標軸までの角度θｖｊを求め，評価項目ｊの指標軸から得点Ｐｉｊを抽出する。そして，すべての評価項目について角度θｖｊ，得点Ｐｉｊを取得したら，評価対象Ｔｉのポートフォリオチャート上の座標（Ｘｉ，Ｙｉ）を抽出し，図１２に示すように，座標（Ｘｉ，Ｙｉ）を中心に，得点Ｐｉｊの位置を算出する。得点Ｐｉｊの位置は，
Ｘ座標＝Ｘｉ＋ｓ×Ｐｉｊ×ｃｏｓ（θｖｊ），
Ｙ座標＝Ｙｉ＋ｓ×Ｐｉｊ×ｓｉｎ（θｖｊ）
とする。そして，全得点Ｐｉを頂点とする多角形を生成し，評価対象Ｔｉを表す図形内にレーダチャート描画色Ｃｒｉでこの多角形を描画する。
【００６９】
以下，図１３〜１９に，本発明の処理の流れを示す。
【００７０】
図１３は，本発明のチャート描画装置１の概要処理フローを示す図である。
【００７１】
チャート描画装置１は，ポートフォリオチャート描画処理を行う（ステップＳ１）。
【００７２】
ポートフォリオチャート描画部１０１は，ポートフォリオデータ２０を用いて，表示画面３００のチャート表示域３１０に，所定のポートフォリオチャートおよび評価対象Ｔｉを描画する。
【００７３】
その後，チャート表示域３１０のポートフォリオチャートに表示された評価対象Ｔｉについて描画するチャートの選択処理を行う（ステップＳ２）。表示条件設定部１０３は，表示画面３００の表示設定項目表示域３２０に表示した，「レーダチャート表示」または「レーダチャート項目表示」のいずれの表示項目がユーザによって選択されたかを検出する。
【００７４】
検出した項目が「レーダチャート項目表示」であれば（ステップＳ３），レーダチャート項目描画部１１０へ描画要求を送出し，レーダチャート項目描画処理を行う（ステップＳ４）。また，検出した項目が「レーダチャート表示」であれば（ステップＳ３），レーダチャート描画部１１１へ描画要求を送出し，レーダチャート描画処理を行う（ステップＳ５）。
【００７５】
図１４は，ステップＳ４のレーダチャート項目描画処理のより詳細な処理フロー図である。
【００７６】
描画初期化部１０４は，初期化処理を行う（ステップＳ１００）。描画初期化部１０４は，選択対象ポートフォリオデータ２２に格納されている前回処理で選択された評価対象の通番ｉ，座標（Ｘｉ，Ｙｉ），評価対象の円の半径Ｒｉなどを抽出し，ポートフォリオチャート上で選択されたすべての評価対象Ｔｉの座標上で作成描画した，評価項目の得点を表すトゲ（突起）をすべて消去する。
【００７７】
そして，表示対象設定部１０２は，ユーザのマウスクリック操作などによって，表示画面３００のチャート表示域３１０に表示された評価対象Ｔｉが選択され，表示対象選択ボタン３３０が押下されると，選択された評価対象Ｔｉを，ポートフォリオデータ抽出部１０５へ通知する（ステップＳ１０１）。
【００７８】
ポートフォリオデータ抽出部１０５は，選択された評価対象Ｔｉのポートフォリオデータを，ポートフォリオデータ２０から抽出し，選択対象ポートフォリオデータ２２として保持する（ステップＳ１０２）。
【００７９】
表示条件設定部１０３は，描画チャートの選択時に，表示画面３００の表示設定項目表示域３２０でユーザによって設定された，レーダチャート項目の表示形状，表示状態などの表示条件を入力し，表示設定データ２１として保持する（ステップＳ１０３）。
【００８０】
次に，ダイアル設定部１０７は，表示画面３００にレーダチャート項目において表示させる評価項目名を選択するためのダイアル３４０を追加描画する（ステップＳ１０４）。ダイアル設定処理の詳細は，後述する。
【００８１】
次に，レーダチャート項目描画部１１０は，ユーザによって指定されたレーダチャートの評価項目を，ダイアルドラッグ位置検出部１０９を介して取得し，指定された評価対象Ｔｉについてのレーダチャート項目の描画処理を行う（ステップＳ１０５）。レーダチャート項目の描画処理の詳細は，後述する。
【００８２】
その後，チャート表示域３１０において別の評価対象Ｔｉがマウスクリックされるなどして，レーダチャート項目を描画させる評価対象の変更指示があった場合には（ステップＳ１０６のＹＥＳ），ステップＳ１０１の処理へ戻る。評価対象の変更指示がなかった場合には（ステップＳ１０６のＮＯ），処理を終了する。
【００８３】
図１５は，ステップＳ１０４のダイアル設定処理の詳細処理フローを示す図である。
【００８４】
ダイアル設定部１０７は，レーダチャートデータ２３からＮ個の評価項目の通番，評価項目名を取得し，レーダデータ表２５へ格納する（ステップＳ１１０）。そして，ポートフォリオチャートのＸ座標軸と平行な基線を設定し，基線から評価項目ｊの指標軸までの角度θｊを求め，角度θｊをレーダデータ表２５へ格納する（ステップＳ１１１）。そして，ダイアル回転の単位角度θｕを算出する（ステップＳ１１２）。単位角度θｕ＝２π／（ｋＮ）（ｋはゼロ以外の整数）とする。例えば，評価項目数Ｎ＝１２，すなわち指標軸が１２本のレーダチャートの場合にｋ＝１とすると，単位角度θｕ＝３０度となる。
【００８５】
そして，表示画面３００の所定の位置へ，選択指示部３４１を備えるダイアル３４０と評価項目名とを描画する（ステップＳ１１３）。
【００８６】
なお，ダイアル回転制御部１０８は，ユーザがマウスドラッグなどによってダイアル３４０を回転させると，ダイアル設定部１０７が設定した単位角度θｕごとに，選択指示部３４１を移動させて制御する。
【００８７】
図１６および図１７は，ステップＳ１０５のレーダチャート項目の描画処理の詳細処理フローを示す図である。
【００８８】
ダイアルドラッグ位置検出部１０９は，ダイアル３４０がユーザによってマウスドラッグ操作されると，回転移動した選択指示部３４１の位置の回転角度ｒ＝θｕ×ｍ（ｍは整数）を読み取る（ステップＳ１２０）。そして，レーダチャートデータ２３で設定されている評価項目の指標軸の設定角度に回転角度ｒが存在するかどうかを調べる（ステップＳ１２１）。指標軸の設定角度に回転角度ｒと一致するものがあれば（ステップＳ１２１のＹＥＳ），ダイアル３４０の周囲に描画した評価項目名のうち該当する評価項目名を，ボールド，異なる色，フォントの拡大などの描画処理で強調して表示する（ステップＳ１２２）。
【００８９】
そして，レーダチャートデータ２３から，回転角度ｒに相当する指標軸の評価項目ｊについて，選択された評価対象Ｔｉの得点Ｐｉｊを抽出する（ステップＳ１２３）。
【００９０】
さらに，選択対象ポートフォリオデータ２２から選択された評価対象Ｔｉのポートフォリオチャート上の座標（Ｘｉ，Ｙｉ）を抽出し，座標（Ｘｉ，Ｙｉ）に評価対象Ｔｉの図形の描画色Ｃｐｉで，レーダチャート項目として該当する評価項目の大きさを高さで表すトゲを生成して描画する（ステップＳ１２４）。ここで，トゲの形状は二等辺三角形とし，底辺の長さ＝評価対象Ｔｉを表す円の半径Ｒｉ，高さ＝ｓ×Ｐｉｊ（ｓは定数）とする。
【００９１】
そして，表示設定データ２１に，前に描画したトゲを残したまま描画するような表示条件（残像表示）が設定されているかどうかを調べて（ステップＳ１２５），トゲの残像表示をしない場合のみ（ステップＳ１２５のＮＯ），前回描画した回転角度ｒ−単位角度θｕに対応する指標軸の評価項目のトゲを消去する（ステップＳ１２６）。
【００９２】
そして，選択されたすべての評価対象Ｔｉについてトゲを描画していなければ（ステップＳ１２７のＮＯ），ステップＳ１２３の処理へ戻る。また，選択されたすべての評価対象Ｔｉについてトゲを描画していたら（ステップＳ１２７のＹＥＳ），ダイアル３４０のマウスドラッグ操作が継続中であるかを検出する（ステップＳ１２８）。
【００９３】
そして，ダイアル３４０のドラッグが継続中であれば（ステップＳ１２８のＹＥＳ），ステップＳ１２０の処理へ戻り，ダイアル３４０のドラッグが継続中でなければ（ステップＳ１２８のＮＯ），処理を終了する。
【００９４】
図１８は，図１３のステップＳ５のレーダチャート描画処理のより詳細な処理フロー図である。
【００９５】
描画初期化部１０４は，初期化処理を行う（ステップＳ１３０）。描画初期化部１０４は，選択対象ポートフォリオデータ２２に格納されている前回処理で選択された評価対象の通番ｉ，座標（Ｘｉ，Ｙｉ），評価対象を表す円の半径Ｒｉなどを抽出し，ポートフォリオチャート上で選択されたすべての評価対象Ｔｉの座標上で作成描画した，評価対象の図形内のすべてのレーダチャートを表す多角形を消去する。
【００９６】
そして，表示対象設定部１０２は，マウスクリック操作などによって，表示画面３００のチャート表示域３１０に表示された評価対象Ｔｉが選択され，表示対象選択ボタン３３０が押下されると，選択された評価対象Ｔｉを，ポートフォリオデータ抽出部１０５へ通知する（ステップＳ１３１）。そして，ポートフォリオデータ抽出部１０５は，選択された評価対象Ｔｉのポートフォリオデータを，ポートフォリオデータ２０から抽出し，選択対象ポートフォリオデータ２２として保持する（ステップＳ１３２）。
【００９７】
レーダチャート描画部１１１は，指定された評価対象Ｔｉについてのレーダチャートの描画処理を行う（ステップＳ１３３）。レーダチャートの描画処理の詳細は，後述する。
【００９８】
その後，チャート表示域３１０において別の評価対象がマウスクリックされるなどして，レーダチャートを描画させる評価対象の変更指示があった場合には（ステップＳ１３４のＹＥＳ），ステップＳ１３１の処理へ戻る。評価対象の変更指示がなかった場合には（ステップＳ１３４のＮＯ），処理を終了する。
【００９９】
図１９は，ステップＳ１３３のレーダチャートの描画処理の詳細処理フローを示す図である。
【０１００】
レーダチャート描画部１１１は，レーダチャートデータ２３からＮ個の評価項目について，その指標軸間の単位角度θｖを算出する（ステップＳ１４０）。単位角度θｖ＝２π／Ｎ（Ｎは整数）とする。さらに，レーダチャートのｉ番目の評価項目の指標軸について，基線からの角度Ｒｊを算出する（ステップＳ１４１）。角度Ｒｊ＝θｖ・ｊ（ｊは整数）とする。さらに，レーダチャートデータ２３から，角度Ｒｊに相当する指標軸の評価項目ｊから，選択された評価対象Ｔｉの得点Ｐｉｊを抽出する（ステップＳ１４２）。
【０１０１】
レーダチャートの評価項目ｊにおいて評価対象Ｔｉのすべての得点Ｐｉｊを抽出していなければ（ステップＳ１４３のＮＯ），ステップＳ１４１の処理へ戻る。
【０１０２】
そして，レーダチャートの評価項目ｊにおいて評価対象Ｔｉのすべての得点Ｐｉｊを抽出したら（ステップＳ１４３のＹＥＳ），選択対象ポートフォリオデータ２２から選択された評価対象Ｔｉのポートフォリオチャート上の座標（Ｘｉ，Ｙｉ）を抽出し，評価対象Ｔｉの座標（Ｘｉ，Ｙｉ）をもとに，得点Ｐｉｊの位置（ＸＹ座標）を，
Ｘ座標＝Ｘｉ＋ｓ×Ｐｉｊ×ｃｏｓ（θｖｊ）
Ｙ座標＝Ｙｉ＋ｓ×Ｐｉｊ×ｓｉｎ（θｖｊ）
として求める（ステップＳ１４４）。
【０１０３】
そして，求めた得点Ｐｉｊを頂点とする多角形を，レーダチャートの描画色Ｃｒｉで描画する（ステップＳ１４５）。
【０１０４】
以上，本発明をその実施の形態により説明したが，本発明はその主旨の範囲において種々の変形が可能であることは当然である。
【０１０５】
また，本発明は，コンピュータにより読み取られ実行される処理プログラムとして実施するものとして説明したが，本発明を実現する処理プログラムは，コンピュータが読み取り可能な，可搬媒体メモリ，半導体メモリ，ハードディスクなどの適当な記録媒体に格納することができ，これらの記録媒体に記録して提供され，または，通信インターフェースを介して種々の通信網を利用した送受信により提供されるものである。
【０１０６】
本発明の形態および実施例の特徴を列記すると以下のとおりである。
【０１０７】
（付記１）
評価対象を描画したポートフォリオチャート上に前記評価対象のレーダチャートの情報を組み込んだチャートを描画する処理装置であって，
評価対象を所定のポートフォリオチャート上に描画するポートフォリオ描画手段と，
前記ポートフォリオチャートに描画されている評価対象の所定の評価項目の評価値を示すレーダチャートデータを格納するレーダチャートデータ記憶手段と，
前記ポートフォリオチャート上から，前記レーダチャートデータを表示させる評価対象を選択する描画対象選択手段と，
前記選択された評価対象のレーダチャートデータを用いて生成した所定の図形を，前記ポートフォリオチャートの当該評価対象の位置に描画する図形描画手段とを備える
拡張ポートフォリオチャート描画装置。
【０１０８】
（付記２）
前記図形描画手段は，前記図形として，前記レーダチャートにおいて展開される前記選択された評価対象のすべての評価値の関係を表わす多角形を描画する
前記付記１記載の拡張ポートフォリオチャート描画装置。
【０１０９】
（付記３）
前記図形描画手段は，前記図形として，前記レーダチャートに設定された評価項目の得点を，前記評価項目の指標軸を所定の基線からの回転角度および前記指標軸上の得点位置によって特定し，前記ポートフォリオチャートの座標において，当該評価対象の位置を通るように定めた前記基線に相当する線からの前記回転角度をなす線分上に当該得点位置を求め，求めたすべての得点を頂点とする多角形を描画する
前記付記２記載の拡張ポートフォリオチャート描画装置。
【０１１０】
（付記４）
前記ポートフォリオチャート上に表示させるレーダチャートデータの評価項目を指定する評価項目指定手段を備えるとともに，
前記図形描画手段は，前記図形として，前記指定された評価項目の前記レーダチャートにおける指標軸の方向および当該評価項目の評価値に対応する高さを表す三角形を描画する
前記付記１記載の拡張ポートフォリオチャート描画装置。
【０１１１】
（付記５）
前記図形描画手段は，前記図形として，前記レーダチャートに設定された評価項目の得点を，前記評価項目の指標軸を所定の基線からの回転角度および前記指標軸上の得点位置によって特定し，前記ポートフォリオチャートの座標において，当該評価対象の位置を通るように定めた前記基線に相当する線からの前記回転角度をなす線分上の当該得点位置を求め，前記回転角度をなす線分の当該得点位置までの高さを持つ三角形を描画する
前記付記４記載の拡張ポートフォリオチャート描画装置。
【０１１２】
（付記６）
前記評価項目指定手段は，所定の円周に沿って回転移動する指示つまみを備えるダイアルを備え，ユーザの操作によって前記ダイアルの指示つまみが回転移動されると，前記レーダチャートから前記円周の中心と前記指示つまみの位置によって定まる方向と一致する指標軸を特定し，前記特定された指標軸が対応する評価項目を前記指定された評価項目とする
前記付記４記載の拡張ポートフォリオチャート描画装置。
【０１１３】
（付記７）
前記図形描画手段は，ユーザの要求に応じて，前記評価対象の別の評価項目について描画した前記図形を消去した後に，前記指定された評価項目の前記レーダチャートにおける指標軸の方向および当該評価項目の評価値に対応する高さを表す三角形を描画する
前記付記４記載の拡張ポートフォリオチャート描画装置。
【０１１４】
（付記８）
評価対象を描画したポートフォリオチャート上に前記評価対象のレーダチャートの情報を組み込んだチャートを描画する処理方法であって，
評価対象を所定のポートフォリオチャート上に描画するステップと，
前記ポートフォリオチャート上から，レーダチャートデータを表示させる評価対象を選択するステップと，
前記ポートフォリオチャートに描画されている評価対象の所定の評価項目の評価値を示すレーダチャートデータを格納するレーダチャートデータ記憶手段から，前記選択された評価対象のレーダチャートデータを取得するステップと，
前記選択された評価対象のレーダチャートデータを用いて生成した所定の図形を，前記ポートフォリオチャートの当該評価対象の位置に描画するステップとを備える
拡張ポートフォリオチャート描画処理方法。
【０１１５】
（付記９）
前記図形を描画するステップでは，前記図形として，前記レーダチャートにおいて展開される前記選択された評価対象のすべての評価値の関係を表わす多角形を描画する
前記付記８記載の拡張ポートフォリオチャート描画処理方法。
【０１１６】
（付記１０）
前記ポートフォリオチャート上に表示させるレーダチャートデータの評価項目を指定するステップを備えるとともに，
前記図形を描画するステップでは，前記図形として，前記指定された評価項目の前記レーダチャートにおける指標軸の方向および当該評価項目の評価値に対応する高さを表す三角形を描画する
前記付記８記載の拡張ポートフォリオチャート描画処理方法。
【０１１７】
（付記１１）
前記評価項目を指定するステップでは，所定の円周に沿って回転移動する指示つまみを持つダイアルにおいて，前記ダイアルの前記指示つまみの位置がユーザによって回転移動されると，前記レーダチャートから前記円周の中心と前記指示つまみの位置によって定まる方向と一致する指標軸を特定し，前記特定された指標軸が対応する評価項目を前記指定された評価項目とする
前記付記１０記載の拡張ポートフォリオチャート描画処理方法。
【図面の簡単な説明】
【０１１８】
【図１】拡張ポートフォリオチャート描画装置の構成例を示す図である。
【図２】表示画面の例を示す図である。
【図３】選択対象ポートフォリオデータの例を示す図である。
【図４】評価項目の指標軸の角度の算出を説明するための図である。
【図５】レーダデータ表の例を示す図である。
【図６】ダイアルの回転の単位角度と回転角度とを説明するための図である。
【図７】レーダチャートから評価対象の評価項目における得点を抽出する処理を説明するための図である。
【図８】レーダチャート項目として表示される，評価項目の得点の大きさを表す図形の生成および描画を説明するための図である。
【図９】評価項目の得点を示す三角形の描画例を示す図である。
【図１０】評価対象が近接する場合の評価項目の得点を示す三角形の描画例を示す図である。
【図１１】チャート表示域のポートフォリオチャート領域の周縁に設ける描画可能領域の例を示す図である。
【図１２】評価対象のレーダチャートの多角形の生成および描画を説明するための図である。
【図１３】拡張ポートフォリオチャート描画装置の概要処理フローを示す図である。
【図１４】ステップＳ４のレーダチャート項目描画処理のより詳細な処理フロー図である。
【図１５】ステップＳ１０４のダイアル設定処理の詳細処理フローを示す図である。
【図１６】ステップＳ１０５のレーダチャート項目の描画処理の詳細処理フローを示す図である。
【図１７】ステップＳ１０５のレーダチャート項目の描画処理の詳細処理フローを示す図である。
【図１８】ステップＳ５のレーダチャート描画処理のより詳細な処理フロー図である。
【図１９】ステップＳ１３３のレーダチャートの描画処理の詳細処理フローを示す図である。
【図２０】ポートフォリオチャートの例を示す図である。
【図２１】レーダチャートの例を示す図である。
【符号の説明】
【０１１９】
１  拡張ポートフォリオチャート描画装置（チャート描画装置）
１０１  ポートフォリオチャート描画部
１０２  表示対象設定部
１０３  表示条件設定部
１０４  描画初期化部
１０５  ポートフォリオデータ抽出部
１０７  ダイアル設定部
１０８  ダイアル回転制御部
１０９  ダイアルドラッグ位置検出部
１１０  レーダチャート項目描画部
１１１  レーダチャート描画部
１２０  表示装置
２０  ポートフォリオデータ
２１  表示設定データ
２２  選択対象ポートフォリオデータ
２３  レーダチャートデータ
２５  レーダデータ表
【図１】
0004444893.tif 000002
【図２】
0004444893.tif 000003
【図３】
0004444893.tif 000004
【図４】
0004444893.tif 000005
【図５】
0004444893.tif 000006
【図６】
0004444893.tif 000007
【図７】
0004444893.tif 000008
【図８】
0004444893.tif 000009
【図９】
0004444893.tif 000010
【図１０】
0004444893.tif 000011
【図１１】
0004444893.tif 000012
【図１２】
0004444893.tif 000013
【図１３】
0004444893.tif 000014
【図１４】
0004444893.tif 000015
【図１５】
0004444893.tif 000016
【図１６】
0004444893.tif 000017
【図１７】
0004444893.tif 000018
【図１８】
0004444893.tif 000019
【図１９】
0004444893.tif 000020
【図２０】
0004444893.tif 000021
【図２１】
0004444893.tif 000022